(57)【要約】【課題】  電子メールの受信時刻を、受信時のタイムゾーンに対応するローカル時刻で表示させる。【解決手段】  携帯電話機１０の受信時刻情報登録部１２は、メール受信部１１によって受信された電子メールの受信時刻情報を受信時刻情報ファイル１９に登録する。表示受信時刻算出部１３は、メール受信部１１によって受信された電子メールのメールヘッダに含まれるメール発信時刻、およびこの電子メールのメールヘッダに含まれるサーバタイムゾーンと自機１０で設定されていた端末タイムゾーンとの差分を用いて、受信メールの表示受信時刻を、電子メールの受信時に自機で設定されていた端末タイムゾーンに対応するローカル時刻で算出する。受信メール一覧表示部１４は、受信メールの表示受信時刻を受信時刻表示部分に表示させた受信メール一覧を、表示画面上に表示させる。【選択図】  図２
2008040831.tif 000002
【特許請求の範囲】
【請求項１】
メールサーバを介して受信した電子メールに付された電子メール発信時刻、および当該メールサーバで設定されているタイムゾーンと自端末で設定されているタイムゾーンとの差分を用いて、前記電子メールを受信した時刻として表示させる表示受信時刻を、前記電子メールの受信時に自端末で設定されていたタイムゾーンに対応するローカル時刻で算出する表示受信時刻算出手段と、
前記表示受信時刻算出手段によって算出された前記表示受信時刻を、前記電子メールの受信時刻として表示画面上に表示させる表示手段と、
を備えることを特徴とする移動通信端末。
【請求項２】
前記表示手段は、
前記自端末で設定されているタイムゾーンが、予め定められた所定のタイムゾーンと一致するか否かを判定する判定手段と、
前記判定手段によって前記自端末で設定されているタイムゾーンが、前記所定のタイムゾーンと不一致であると判定された場合に、前記所定のタイムゾーン以外で受信されたことを識別させる指標を付与する指標付与手段と、
をさらに備えることを特徴とする請求項１記載の移動通信端末。
【請求項３】
前記電子メール発信時刻を、予め固定して設定された特定のタイムゾーンに対応する時刻に変換し、当該変換後の時刻を、前記表示受信時刻算出手段により算出された前記表示受信時刻と対応付けて記憶させる記憶手段を、さらに備え、
前記表示手段は、前記記憶手段により記憶された前記変換後の時刻順に前記表示受信時刻を表示させることを特徴とする請求項１または２記載の移動通信端末。
【発明の詳細な説明】
【技術分野】
【０００１】
本発明は、移動通信端末に関する。
【背景技術】
【０００２】
従来、移動通信端末がタイムゾーンの異なる地域間を移動した場合に、移動先のローカル時刻を算出し、移動通信端末の表示時刻を、算出したローカル時刻に自動修正する機能が提供されている（下記特許文献１参照）。ここで、タイムゾーンとは、世界の地域別標準時間帯のことである。このタイムゾーンは、イギリスのグリニッジ天文台によって計測されたグリニッジ標準時（ＧＭＴ）との時差で表され、−１２時間〜＋１２時間の範囲内で表される。
【特許文献１】特開２００４−２３６１０３号公報
【発明の開示】
【発明が解決しようとする課題】
【０００３】
ところで、上述した特許文献１では、表示時刻をローカル時刻に自動修正する場合に、メールの受信時刻を移動先のローカル時刻に一括して修正することができる。しかしながら、この場合には、過去に受信された全ての電子メールの受信時刻が、移動先のローカル時刻に強制的に変更されてしまうという問題がある。
【０００４】
そこで、本発明は、上述した課題を解決するために、電子メールの受信時刻を、受信時のタイムゾーンに対応するローカル時刻で表示させることができる移動通信端末を提供することを目的とする。
【課題を解決するための手段】
【０００５】
本発明の移動通信端末は、メールサーバを介して受信した電子メールに付された電子メール発信時刻、および当該メールサーバで設定されているタイムゾーンと自端末で設定されているタイムゾーンとの差分を用いて、電子メールを受信した時刻として表示させる表示受信時刻を、電子メールの受信時に自端末で設定されていたタイムゾーンに対応するローカル時刻で算出する表示受信時刻算出手段と、表示受信時刻算出手段によって算出された表示受信時刻を、電子メールの受信時刻として表示画面上に表示させる表示手段と、を備えることを特徴とする。
【０００６】
この発明によれば、メールサーバで付された電子メール発信時刻を、メールサーバのタイムゾーンと自端末のタイムゾーンとの差分を用いて、電子メールの受信時に自端末で設定されていたタイムゾーンに対応するローカル時刻に変換することができるため、各電子メールの受信時刻を、それぞれの受信時のタイムゾーンに対応するローカル時刻で表示させることが可能となる。
【０００７】
本発明の移動通信端末において、上記表示手段は、自端末で設定されているタイムゾーンが、予め定められた所定のタイムゾーンと一致するか否かを判定する判定手段と、判定手段によって自端末で設定されているタイムゾーンが、所定のタイムゾーンと不一致であると判定された場合に、所定のタイムゾーン以外で受信されたことを識別させる指標を付与する指標付与手段とをさらに備えることが好ましい。
【０００８】
このようにすれば、所定のタイムゾーンで受信された電子メールであるか否かを容易に判別させることが可能となる。
【０００９】
本発明の移動通信端末において、上記電子メール発信時刻を、予め固定して設定された特定のタイムゾーンに対応する時刻に変換し、当該変換後の時刻を、表示受信時刻算出手段により算出された表示受信時刻と対応付けて記憶させる記憶手段を、さらに備え、上記表示手段は、記憶手段により記憶された変換後の時刻順に、表示受信時刻を表示させることが好ましい。
【００１０】
このようにすれば、受信した電子メールを、変換後の時刻の降順または昇順に表示させることが可能となる。すなわち、受信した電子メールを、グリニッジ標準時を基準にした順番で表示させることができるため、電子メールの内容を容易に時系列で参照させることができる。
【発明の効果】
【００１１】
本発明に係る移動通信端末によれば、電子メールの受信時刻を、受信時のタイムゾーンに対応するローカル時刻で表示させることができる。
【発明を実施するための最良の形態】
【００１２】
以下、本発明に係る移動通信端末の実施形態を図面に基づき説明する。なお、各図において、同一要素には同一符号を付して重複する説明を省略する。
【００１３】
図１は、実施形態における通信システムの構成を例示する図である。図１に示すように、通信システムは、携帯電話機１０（移動通信端末）とメールサーバ２０とを有する。
【００１４】
携帯電話機１０は、自機が在圏する無線エリアをカバーする基地局（不図示）と無線通信を行い、通話サービスあるいはパケット通信サービスを受ける移動通信端末である。また、携帯電話機１０は、自動時差補正機能を搭載している。自動時差補正機能とは、携帯電話機１０の端末設定時刻を、在圏エリアに対応するローカル時刻に自動補正する機能である。
【００１５】
ここで、携帯電話機１０は、グリニッジ標準時に対応する時刻を内部で計測する。なお、グリニッジ標準時に対応する時刻は、移動体通信網から取得することとしてもよい。また、携帯電話機１０は、移動体通信網から受信する制御信号に含まれる在圏エリアのタイムゾーンを自機のタイムゾーンとしてメモリに設定する。例えば、携帯電話機１０が日本の通信エリア内に在圏する場合には、自機のタイムゾーンとして「ＧＭＴ＋９」（日本標準時）を設定し、携帯電話機１０がハワイの通信エリア内に在圏する場合には、自機のタイムゾーンとして「ＧＭＴ−１０」（ハワイ標準時）を設定する。携帯電話機１０は、グリニッジ標準時および自機のタイムゾーンを用いてローカル時刻を算出し、このローカル時刻を端末設定時刻として使用する。例えば、内部で計測しているグリニッジ標準時に対応する時刻が「２００６／３／１  ０：００」であり、その時点で設定されている自機のタイムゾーンが「ＧＭＴ＋９」（日本標準時）である場合には、ローカル時刻として「２００６／３／１  ９：００」が算出され、このローカル時刻が端末設定時刻として表示される。また、同様にして、例えば、グリニッジ標準時が「２００６／３／２  １８：００」であり、自機のタイムゾーンが「ＧＭＴ−１０」である場合には、ローカル時刻として「２００６／３／２  ８：００」が算出され、このローカル時刻が端末設定時刻として表示される。このように、携帯電話機１０では、自機に設定されているタイムゾーンに合わせて端末設定時刻が自動補正される。
【００１６】
なお、本実施形態における通信システムでは、移動通信端末の具体例として携帯電話機１０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１７】
メールサーバ２０は、インターネットまたは移動体通信網に接続され、自ネットワークに属する携帯電話機等にインストールされた電子メールソフトの要求に応じて電子メールの送受信を行う周知のサーバである。
【００１８】
図２は、携帯電話機１０の機能構成を例示する図である。図２に示すように、携帯電話機１０は、機能的には、メール受信部１１と、受信時刻情報登録部１２（記憶手段）と、表示受信時刻算出部１３（表示受信時刻算出手段）と、受信メール一覧表示部１４（表示手段）とを備える。なお、携帯電話機１０には、メールサーバ２０を介して受信された電子メールの受信時刻に関する受信時刻情報を格納するための受信時刻情報ファイル１９が備えられている。
【００１９】
図３は、携帯電話機１０のハードウェア構成を例示する図である。図３に示すように、携帯電話機１０は、物理的には、ＣＰＵ１０１と、読み出し専用メモリであるＲＯＭ１０２と、読み出しと書き込みが可能なメモリであるＲＡＭ１０３と、不揮発性メモリであるＥＥＰＲＯＭ１０４と、データ送受信デバイスである通信装置１０５と、入力デバイスである入力キー１０６と、出力デバイスであるディスプレイ１０７とを含むコンピュータシステムとして構成されている。ＣＰＵ１０１が、ＲＯＭ１０２またはＥＥＰＲＯＭ１０４にインストールされたコンピュータソフトウェアを実行することによって図２に示す各構成要素の機能が実現される。また、上述した受信時刻情報ファイル１９は、ＥＥＰＲＯＭ１０４に構築される。なお、携帯電話機１０に、外部メモリカードとのデータのやり取りが可能なメモリカードインターフェースを備えることとしてもよい。この場合には、上述した受信時刻情報ファイル１９を、この外部メモリカードに構築することとしてもよい。
【００２０】
以下、図２を参照して、携帯電話機１０の各機能要素について詳細に説明する。
【００２１】
メール受信部１１は、携帯電話機１０宛の電子メールを、メールサーバ２０を介して受信する。
【００２２】
受信時刻情報登録部１２は、メール受信部１１によって受信された電子メールの受信時刻情報を受信時刻情報ファイル１９に登録する。
【００２３】
ここで、図４を参照して、受信時刻情報ファイル１９のデータ構成について説明する。受信時刻情報ファイル１９は、データ項目として、例えば、メール識別番号、サーバ発信時刻、端末タイムゾーン、サーバタイムゾーン、固定タイムゾーン、表示受信時刻、比較用基準時刻を有する。
【００２４】
図４に示すメール識別番号には、受信した電子メールを一意に特定するための識別番号が格納される。サーバ発信時刻には、メールサーバ２０から携帯電話機１０に電子メールが発信された時刻が格納される。この発信時刻としては、例えば、電子メールのメールヘッダの発信日時情報に含まれるメール発信時刻を用いることができる。
【００２５】
図４に示す端末タイムゾーンには、携帯電話機１０が電子メールを受信したときに自機１０で設定されていた端末タイムゾーンが格納される。サーバタイムゾーンには、メールサーバ２０から携帯電話機１０に電子メールが発信されたときにメールサーバ２０で設定されていたサーバタイムゾーンが格納される。このサーバタイムゾーンとしては、例えば、電子メールのメールヘッダの発信日時情報に含まれるサーバタイムゾーンを用いることができる。なお、サーバタイムゾーンが固定されている場合には、このサーバタイムゾーンは必ずしも受信時刻情報ファイルに格納する必要はなく、メモリ上のいずれかに格納されていればよい。
【００２６】
図４に示す固定タイムゾーンには、携帯電話機１０に固有のタイムゾーンが格納される。この固定タイムゾーンは、上述した端末タイムゾーンのように在圏エリアによって変更されるものではなく、固定値としてメモリに登録されるものである。この固定タイムゾーンは、ユーザの居住地域（以下、ホームタイムゾーンという。）を特定するために用いられ、後述するアイコンを表示するか否かを決定する際の判断材料となる。本実施形態においては、固定タイムゾーンとして、日本標準時である「ＧＭＴ＋９」が登録されている。なお、この固定タイムゾーンは、必ずしも受信時刻情報ファイルに格納する必要はなく、メモリ上のいずれかに格納されていればよい。また、この固定タイムゾーンは、ユーザが任意に設定を変更できることとしてもよい。
【００２７】
図４に示す表示受信時刻には、後述する表示受信時刻算出部１３によって算出された表示受信時刻が格納される。なお、この表示受信時刻は、必ずしも受信時刻情報ファイルに格納する必要はなく、受信メール一覧を表示するたびに、後述する表示受信時刻算出部１３によって算出させることとしてもよい。
【００２８】
図４に示す比較用基準時刻には、サーバ発信時刻を、携帯電話機に初期設定された固定基準時（例えば、ＧＭＴ＋９）に対応する時刻に変換した時刻が格納される。このような比較用基準時刻を設けることによって、受信メール一覧画面に表示される受信メールを、比較用基準時刻の降順または昇順に表示させることが可能となる。すなわち、受信メールを、グリニッジ標準時を基準にした順番で表示させることができるため、電子メールの内容を時系列に参照させることが容易となる。なお、携帯電話機に初期設定される固定基準時は、ＧＭＴ＋９には限定されず、ＧＭＴ−１２〜ＧＭＴ＋１２のいずれであってもよい。すなわち、固定基準時は、予め固定して設定された特定のタイムゾーンであればよい。
【００２９】
図２に示す表示受信時刻算出部１３は、電子メールを受信した時刻として表示させる表示受信時刻を、この電子メールの受信時に自機で設定されていた端末タイムゾーンに対応するローカル時刻で算出する。具体的に説明すると、表示受信時刻算出部１３は、メール受信部１１によって受信された電子メールに付されたメールサーバ２０からのメール発信時刻、およびこのメールサーバ２０で設定されているサーバタイムゾーンと自機１０で設定されている端末タイムゾーンとの差分を用いて、表示受信時刻を、電子メールの受信時に自機で設定されていた端末タイムゾーンに対応するローカル時刻で算出する。より具体的に説明すると、表示受信時刻算出部１３は、“サーバ発信時刻”＋（“端末タイムゾーン”−“サーバタイムゾーン”）を演算することによって、“表示受信時刻”を算出する。
【００３０】
ここで、表示受信時刻算出部１３による表示受信時刻の算出方法について、図４を参照して具体的に説明する。まず、図４に示すメール識別番号が“0001”である受信時刻情報は、携帯電話機１０が日本（ＧＭＴ＋９）の通信エリア内に在圏している際に、日本（ＧＭＴ＋９）のメールサーバ２０から日本標準時の“2006/3/20 14:10”に発信された電子メールを受信したときに登録されたデータである。この場合に、表示受信時刻算出部１３は、“2006/3/20 14:10”＋（“+9:00”−“+9:00”）を演算し、表示受信時刻として“2006/3/20 14:10”を算出する。この表示受信時刻は、電子メール受信時の端末タイムゾーン「ＧＭＴ＋９」のローカル時刻である日本標準時で表されている。次に、図４に示すメール識別番号が“0002”である受信時刻情報は、携帯電話機１０がハワイ（ＧＭＴ−１０）の通信エリア内に在圏している際に、日本（ＧＭＴ＋９）のメールサーバ２０から日本標準時の“2006/3/19 15:15”に発信された電子メールを受信したときに登録されたデータである。この場合に、表示受信時刻算出部１３は、“2006/3/19 15:15”＋（“-10:00”−“+9:00”）を演算し、表示受信時刻として“2006/3/18 20:15”を算出する。この表示受信時刻は、電子メール受信時の端末タイムゾーン「ＧＭＴ−１０」のローカル時刻であるハワイ標準時で表されている。
【００３１】
図２に示す受信メール一覧表示部１４は、電子メールの受信メール一覧を表示画面上に表示させる。この受信メール一覧表示部１４は、表示受信時刻算出部１３によって算出された表示受信時刻を、受信メール一覧の受信時刻表示部分に表示させる。また、この受信メール一覧表示部１４は、判定部１４１（判定手段）と、アイコン表示部１４２（指標付与手段）とを有する。この判定部１４１とアイコン表示部１４２により、アイコン付加処理が行われる。以下において、判定部１４１とアイコン表示部１４２について説明する。
【００３２】
判定部１４１は、受信メール一覧に表示される各受信メールに対応する受信時刻情報の端末タイムゾーンと固定タイムゾーンとを比較して、両タイムゾーンが一致するか否かを判定する。
【００３３】
アイコン表示部１４２は、判定部１４１によって両タイムゾーンが不一致であると判定された場合に、ホームタイムゾーン以外で受信されたことを示すアイコンを受信メール一覧の該当する受信メール欄に表示させる。すなわち、端末タイムゾーンと固定タイムゾーンとが一致する場合には、該当する受信メール欄の上記アイコンを非表示にし、端末タイムゾーンと固定タイムゾーンとが一致しない場合には、該当する受信メール欄の上記アイコンを表示させる。これにより、ホームタイムゾーンに在圏しているときに受信した電子メールであるのか否かを、アイコンの有無を識別するだけで容易に判別することができる。
【００３４】
次に、図５を参照して、受信メール一覧の表示画面例について説明する。
【００３５】
図５に示す受信メール一覧画面は、図４に示す受信時刻情報ファイル１９に格納された受信時刻情報に対応する表示例である。まず、図５に示すように、受信メール一覧の最上段に表示される受信メール「１」欄の受信時刻表示部分には、図４に示すメール識別番号“0001”に対応して記憶されている表示受信時刻“2006/3/20 14:10”が表示される。また、図４に示すように、メール識別番号“0001”に対応する端末タイムゾーンと固定タイムゾーンは、ともに“+9:00”で一致するため、受信メール「１」欄のアイコン表示部分にはアイコンが表示されない。次に、図５に示す受信メール「２」欄の受信時刻表示部分には、図４に示すメール識別番号“0002”に対応して記憶されている表示受信時刻“2006/3/18 20:15”が表示される。また、図４に示すように、メール識別番号“0002”に対応する端末タイムゾーンと固定タイムゾーンは、“-10:00”と“+9:00”とで不一致であるため、受信メール「２」欄のアイコン表示部分には、ホームタイムゾーン以外で受信されたことを示すアイコンＡが表示される。図５に示す受信メール一覧画面に表示される受信メールは、比較用基準時刻の降順に表示されている。これにより、受信メールをグリニッジ標準時の降順に閲覧することができるため、電子メールの内容を時系列に把握することが容易となる。
【００３６】
次に、図６および図７を参照して、本実施形態における携帯電話機１０の動作について説明する。図６は、受信時刻情報を受信時刻情報ファイルに登録する際の受信時刻情報登録処理について説明するためのフローチャートである。
【００３７】
まず、図６に示すように、携帯電話機１０のメール受信部１１は、携帯電話機１０宛の電子メールを、メールサーバ２０を介して受信する（ステップＳ１）。
【００３８】
次に、携帯電話機１０の受信時刻情報登録部１２は、メール受信部１１によって受信された電子メールの受信時刻情報を受信時刻情報ファイル１９に登録する（ステップＳ２）。
【００３９】
次に、携帯電話機１０の表示受信時刻算出部１３は、メール受信部１１によって受信された電子メールのメールヘッダに含まれるメール発信時刻、およびこの電子メールのメールヘッダに含まれるサーバタイムゾーンと自機１０で設定されていた端末タイムゾーンとの差分を用いて、表示受信時刻を、電子メールの受信時に自機で設定されていた端末タイムゾーンに対応するローカル時刻で算出する（ステップＳ３）。
【００４０】
なお、上述したステップＳ３の処理は、必ずしもステップＳ２の処理後に行う必要はなく、ステップＳ２の処理前に行ってもよいし、両処理を並行して行ってもよい。
【００４１】
次に、図７は、受信メール一覧を表示する際の受信メール一覧表示処理について説明するためのフローチャートである。
【００４２】
まず、図７に示すように、携帯電話機１０のＣＰＵ１０１が、ユーザの操作指示による受信メール一覧の表示指示を検知した場合（ステップＳ１１）に、受信メール一覧表示部１４は、表示受信時刻算出部１３によって算出された表示受信時刻を、受信メール一覧の受信時刻表示部分に表示させるとともに、上述したアイコン付加処理を実行して（ステップＳ１２）、受信メール一覧を表示画面上に表示させる（ステップＳ１３）。
【００４３】
以上のように、本実施形態における携帯電話機１０によれば、メールサーバ２０で付されたメール発信時刻を、メールサーバ２０のタイムゾーンと自機１０のタイムゾーンとの差分を用いて、電子メールの受信時に自機１０で設定されていたタイムゾーンに対応するローカル時刻に変換することができるため、各電子メールの受信時刻を、それぞれの受信時のタイムゾーンに対応するローカル時刻で表示させることが可能となる。
【００４４】
なお、上述した実施形態では、移動体通信網から受信する制御信号に含まれる在圏エリアのタイムゾーンを自機のタイムゾーンとして設定しているが、自機のタイムゾーンの設定方法はこれに限られない。例えば、自機のタイムゾーンをユーザが任意に設定変更できることとしてもよい。
【００４５】
また、上述した実施形態では、端末タイムゾーンと固定タイムゾーンとが一致しない場合にのみ、アイコンを表示させているが、受信メール一欄にアイコンを表示させる方法はこれに限られない。例えば、全ての受信メールに対応させてアイコンを表示させることとしてもよい。この場合には、例えば、端末タイムゾーンごとに用意したアイコンを受信メール一覧に表示させることとしてもよい。これにより、どこのタイムゾーンに在圏していたときに受信された電子メールであるのかを、アイコンを見ただけで容易に判別することができる。さらに、受信メール一欄にアイコンを表示させることにも限定されない。例えば、受信メールに対応させて文字を表示させることや、受信メールに対応する欄をハイライト表示させる等して識別できるようにしてもよい。すなわち、所定のタイムゾーン以外で受信されたことを識別させる指標を付与することができればよい。
【図面の簡単な説明】
【００４６】
【図１】実施形態における通信システムのシステム構成を例示する図である。
【図２】図１に示す携帯電話機の機能構成を例示するブロック図である。
【図３】図１に示す携帯電話機のハードウェア構成を例示するブロック図である。
【図４】受信時刻情報ファイルのデータ構成を例示する図である。
【図５】受信メール一覧の表示画面を例示する図である。
【図６】受信時刻情報登録処理の流れを例示するフローチャートである。
【図７】受信メール一覧表示処理の流れを例示するフローチャートである。
【符号の説明】
【００４７】
１０・・・携帯電話機、１１・・・メール受信部、１２・・・受信時刻情報登録部、１３・・・表示受信時刻算出部、１４・・・受信メール一覧表示部、１４１・・・判定部、１４２・・・アイコン表示部、１９・・・受信時刻情報ファイル、２０・・・メールサーバ。
【図１】
2008040831.tif 000003
【図２】
2008040831.tif 000004
【図３】
2008040831.tif 000005
【図４】
2008040831.tif 000006
【図５】
2008040831.tif 000007
【図６】
2008040831.tif 000008
【図７】
2008040831.tif 000009